(57)【要約】【課題】複数の微小な回折格子セルが基板表面に配置されていると共に、それらの内の所望の回折格子セルの組合せにより複数の回折格子パターンが複数構成されているディスプレイであって、観察される画像の明るさを向上させると共に、画像チェンジングが鮮明に行えることを可能とし、併せて画像チェンジングし得る回折格子パターンの数もより多く設定できるようにしたブレーズド型回折格子パターンを有するディスプレイの提供を目的とする。【解決手段】一つの回折格子パターンを構成する複数の回折格子セルはその回折格子方向を同一方向に設定し、かつそれ以外の回折格子パターンを構成する複数の回折格子セルの回折格子方向とは異なるように設定すると共に、複数の回折格子パターンの少なくとも一つは、それを構成する複数の回折格子セルの回折格子をブレーズド型とする。【選択図】図１
2004280010.tif 000002
【特許請求の範囲】
【請求項１】
平面状の基板の表面に複数の微小な回折格子セルが配置されていると共に、それらの内の所望の回折格子セルの組合せにより複数の回折格子パターンが構成されており、この複数の回折格子パターンの個々に対応してそれぞれの画像が観察されるようになっているディスプレイにおいて、一個の回折格子パターンを構成する複数の回折格子セルはその回折格子方向が同一方向に設定されていて、かつそれ以外の回折格子パターンを構成する複数の回折格子セルの回折格子方向とは異なるように設定されていると共に、複数の回折格子パターンの少なくとも一つは、それを構成する複数の微小な回折格子セルの回折格子がブレーズド型回折格子であることを特徴とするブレーズド型回折格子パターンを有するディスプレイ。
【請求項２】
回折格子パターンを構成する回折格子セルの回折格子はいずれもブレーズド型回折格子であることを特徴とする請求項１記載のブレーズド型回折格子パターンを有するディスプレイ。
【請求項３】
回折格子パターンを構成する回折格子セルの回折格子における回折格子方向はその他の回折格子パターンを構成する回折格子セルの回折格子方向とは５度以上異なっていることを特徴とする請求項１または２記載のブレーズド型回折格子パターンを有するディスプレイ。
【請求項４】
複数の回折格子パターンが同一領域にあり、それらの占める面積が同一であることを特徴とする請求項１ないし請求項３に記載のブレーズド回折格子パターンを有するディスプレイ。
【請求項５】
回折格子パターンを構成する回折格子セルは他の回折格子パターンを構成する回折格子セルと互いに隣接するように配置されていることを特徴とする請求項１ないし請求項３のいずれかに記載のブレーズド型回折格子パターンを有するディスプレイ。
【発明の詳細な説明】
【０００１】
【発明の属する技術分野】
本発明は、画像表示やセキュリティ（偽造防止）の用途に好適であって、微小な回折格子セルが複数個配置されていると共に、それらの内の所望の回折格子セルの組合せにより複数の回折格子パターンが構成されており、この複数の回折格子パターンに対応して複数の画像が観察されるようになっているディスプレイに関する。
【０００２】
【従来の技術】
従来から、動画像、あるいは視点を変えることによって変化する画像を、平面状の基板上で表現させる方法として、レンチキュラー・レンズを使用する画像チェンジング技術や、ホログラフィック・ステレオグラムやホログラムを利用した画像チェンジング技術がある。また、複数の微小な回折格子から構成される回折格子パターンを用いた画像チェンジング技術もある。（例えば、特許文献１参照。）
【０００３】
回折格子から構成される回折格子パターンは、通常の印刷技術では表現することのできない指向性のある光沢や色彩を表現できることから、ディスプレイの用途や偽造防止を目的とするセキュリティ商品等に広く用いられている。そして、このような回折格子パターンやこの回折格子パターンを有するディスプレイ等においては、より多彩でオリジナリティの高いものを作製することが求められている。
【０００４】
ところで、このような従来の画像チェンジング技術の中で、レンチキュラー・レンズを使用するものでは、光源の位置を変えても観察者が移動しなければ画像の変化を観察することはできなかった。また、ホログラフィック・ステレオグラムやホログラムを利用した画像チェンジング技術では、複数の画像が同時に目に入ったり、ボケが生じ、クリアーな画像を表現することが難しかった。
【０００５】
一方、回折格子を用いた従来の画像チェンジングは、任意の空間周波数のバイナリー型回折格子を有する微小な回折格子セルを複数個用いて最初の回折格子パターンを基板上に形成し、次に前記回折格子パターンを構成する回折格子セルの回折格子方向とは異なる回折格子方向に設定された任意の空間周波数のバイナリー型回折格子を有する微小な回折格子セルを複数個用いて次の回折格子パターンを同一の基板上に形成し、以後、所望の回折格子パターンの数だけ上記と同様の操作を繰り返し、次々と回折格子パターンを同一の基板上に形成するようにし、光源、または観察者、若しくは基板の３つの要素の相対的な位置を変えることにより、複数の回折格子パターンに対応する複数の画像を比較的にクリアーに表現できるようにした方法である。
【０００６】
そして、回折格子パターンを作製する方法としては、例えばレーザー光の２光束干渉により得られる干渉縞（回折格子）を有する微小なドット（回折格子セル）を、そのピッチ、方向、および光強度を変化させて、感光性フィルムに次々とパターン状に露光する方法が採られる（例えば、特許文献２参照。）。
【０００７】
一方、レーザー光ではなく電子ビーム露光装置からの電子ビームを用い、平面状の基板が載置されたＸ−Ｙステージの移動をコンピューターにより制御しながら基板の表面に回折格子からなる複数の微小なドット（回折格子セル）をパターン状に配置することにより、回折格子パターンを作製する方法も提案されている（例えば、特許文献３参照。）。
【０００８】
このようにして基板表面に形成される回折格子パターンのパラメータとしては、回折格子の空間周波数あるいは格子間隔（格子のピッチ）と、回折格子の方向（回折格子方向）と、回折格子パターンを構成する微小な回折格子セルの配置の３つがある。そして、回折格子の空間周波数あるいは格子間隔（格子のピッチ）を変化させることによって見える色が変化し、また回折格子の方向（回折格子方向）を変化させることによって光って見える方向が変化し、さらには、回折格子パターンを構成する回折格子セルの配置の仕方により表示する画像（絵柄）が決定される。
【０００９】
また、回折格子に照射する入射光の波長や入射角度と、回折格子の格子間隔とその回折格子から出射する回折光の出射角度との関係は、以下のように説明される。すなわち、図６は回折格子セル５に特定角度で波長λの単色の入射光１を入射した場合に観察される回折光の状態を示しているが、このような状態において、回折格子セル５の面に垂直な任意の面における回折格子セルによる任意の次数に対する回折現象は以下の式で表される。
ｄ＝ｍλ／（ｓｉｎα−ｓｉｎβ）
【００１０】
図６ならびに上式において、ｄは着目した面における回折格子の格子間隔（空間周波数の逆数）、ｍは回折次数、αは当該面における０次回折光３（照明光の透過光あるいは正反射光であり、図６では正反射光にあたる）の出射角度、βは当該面における１次回折光２の出射角度（回折角）である。
従って、このような関係を踏まえ、回折格子セル面をＸ−Ｙ平面とし、それに直交するＸ−Ｚ平面およびＹ−Ｚ平面について、３次元空間における回折光の方向などを所望の状態で様々に設定することができるようになる。
【００１１】
しかし、このような関係を配慮して基板表面に形成された回折格子パターンは、設計上は異なる複数の回折格子パターンに対応する複数の画像が変化して観察できる状況であっても、前に観察されていた画像に対応する回折格子のノイズ及び基板表面の凹凸による散乱により、前に観察されていた画像が新たに見えてきた画像とオーバーラップしてぼんやりと見えてしまい、画像の切り替えが明瞭に行えなかった。
【００１２】
また、回折格子としては種々の形態のものがあるが、前述した回折格子を利用した画像チェンジングにおいて、回折格子としてバイナリー型を採用した場合には、画像チャンジング技術で複数の画像を表現できる範囲はその画像に対応する回折格子パターンの回折方向が０度から１８０度未満での範囲に制限されてしまう。例えば、回折格子の格子方向が４５度ごとに異なる回折格子パターンの場合、図１１に示すように、回折格子パターンに対応する４種の画像しか表現できない。要するに、バイナリー型回折格子においては、回折格子方向が０度と１８０度は同等であることを意味し、画像チェンジングにおいて表現し得るチェンジング画像の数が少ないという欠点を有していた。
【００１３】
【特許文献１】
特許第２６３００４７号明細書
【特許文献２】
特開昭６０−１５６００４号公報
【特許文献３】
特開平２−７２３２０号公報
【００１４】
【発明が解決しようとする課題】
本発明は以上のような状況に鑑みなされたものであって、複数の微小な回折格子セルが基板表面に配置されていると共に、それらの内の所望の回折格子セルの組合せにより複数の回折格子パターンが複数構成されており、この複数の回折格子パターンに対応して複数の画像が観察されるようになっているディスプレイであって、観察される画像の明るさを向上させると共に、画像チェンジングが鮮明に行えることを可能とし、併せて画像チェンジングに関与する回折格子パターンの数もより多く設定できるようにしたことを特徴とするブレーズド型回折格子パターンを有するディスプレイの提供を目的とする。
【００１５】
【課題を解決するための手段】
本発明は、上記の課題を解決するためになされたものであり、請求項１に記載の発明は、平面状の基板の表面に複数の微小な回折格子セルが配置されていると共に、それらの内の所望の回折格子セルの組合せにより複数の回折格子パターンが構成されており、この複数の回折格子パターンの個々に対応してそれぞれの画像が観察されるようになっているディスプレイにおいて、一個の回折格子パターンを構成する複数の回折格子セルはその回折格子方向が同一方向に設定されていて、かつそれ以外の回折格子パターンを構成する複数の回折格子セルの回折格子方向とは異なるように設定されていると共に、複数の回折格子パターンの少なくとも一つは、それを構成する複数の微小な回折格子セルの回折格子がブレーズド型回折格子であることを特徴とするブレーズド型回折格子パターンを有するディスプレイである。
【００１６】
また、請求項２に記載の発明は、請求項１に記載のブレーズド型回折格子パターンを有するディスプレイにおいて、回折格子パターンを構成する回折格子セルの回折格子はいずれもブレーズド型回折格子であることを特徴とする。
【００１７】
さらにまた、請求項３に記載の発明は、請求項１または２に記載のブレーズド型回折格子パターンを有するディスプレイおいて、回折格子パターンを構成する回折格子セルの回折格子方向はその他の回折格子パターンを構成する回折格子セルの回折格子方向とは５度以上異なっていることを特徴とする。
【００１８】
さらにまた、請求項４に記載の発明は、請求項１ないし３のいずれかに記載のブレーズド型回折格子パターンを有するディスプレイにおいて、複数の回折格子パターンが同一領域にあり、それらの占める面積が同一であることを特徴とする。
【００１９】
さらにまた、請求項５に記載の発明は、請求項１ないし４のいずれかに記載のブレーズド型回折格子パターンを有するディスプレイにおいて、回折格子パターを構成する回折格子セルは他の回折格子パターンを構成する回折格子セルと互いに隣接するように配置されていることを特徴とする。
【００２０】
ここで、ブレーズド回折格子とは、図９に示すように、鋸刃状の断面形状を持つ回折格子であり、その斜面での入射光の反射もしくは屈折の角度が、回折角度と一致した場合、後述するバイナリー型回折格子に比べて非常に高い回折効率が得られることが知られている。また、図１０に示すような階段状の断面形状を持つ回折格子においても高い回折効率が得られることが知られている。本明細書においてはこの階段状の回折格子もブレーズド型回折格子に含むものとする。
【００２１】
また、バイナリー型回折格子とは、一般的には図８に示すような矩形波状の断面形状を持つ回折格子である。このような断面形状を有するプレス版を用いて作製される熱エンボス複製品等においては、例えばレリーフ型ホログラムに見られるような正弦波状に近い断面形状の回折格子が賦型されるのが一般的であり、本明細書ではこのような正弦波状の回折格子もバイナリー型回折格子に含むものとする（図７参照）。
【００２２】
【発明の実施の形態】
以下、本発明の実施の形態を図面に基づいて説明する。なお、全ての図面はわかり易いように実際の回折格子や格子間隔の大きさよりも拡大して表現している。
【００２３】
図１は本発明のディスプレイ１８とこのディスプレイ１８に内在する２種類のブレーズド型回折格子パターンにより表現し得る２種類の画像１９、２０の概略がそれぞれ示してある。
このディスプレイ１８は、平面状の基板（図示せず）の表面に２種類の微小な回折格子セル１８Ａ、１８Ｂがそれぞれ複数個配置されていると共に、それぞれの回折格子セル１８Ａ、１８Ｂの組合せにより２種類の回折格子パターンが構成されており、この２種類の回折格子パターンに対応して２種類の画像１９、２０がそれぞれ観察されるようになっている。そして、一方の回折格子パターンを構成する複数の回折格子セル１８Ａ・・・はその回折格子方向が同一方向に設定されて（回折格子方向が右斜め下方向）、かつ他方の回折格子パターンを構成する複数の回折格子セル１８Ｂ・・・の回折格子方向（回折格子方向が左斜め下方向）とは異なるように設定されていると共に、各回折格子パターンを構成する２種類の回折格子セル１８Ａ、１８Ｂの回折格子がブレーズド型回折格子となっている。
【００２４】
この２種類の微小な回折格子セル１８Ａ、１８Ｂは、個々の外形は同一形状で、それぞれの回折格子方向は９０度異なっており（一方が右斜め下向きで他方が左斜め下向き）、かつ各回折格子セルは互いに隣接するように組み合わされて１つ基板表面に配置されていて、ディスプレイ１８を構成している。
【００２５】
図示の実施形態では、回折格子パターンを構成する回折格子セル１８Ａ、１８Ｂとしてはその外形が矩形状のもが適用されていて、さらに観察者から個々の回折格子セル１８Ａ・・・、１８Ｂ・・・の存在を認識できないようにするため、その大きさを３００μｍ以下にしてある。そして、２種類の回折格子パターン１８Ａ、１８Ｂの表現領域は同一領域内に位置するように設定している。本発明のディスプレイ中の回折格子セルの外形は、上述した矩形状のものに限定されるものではなく、三角形状、円形状、多角形状等の種々の形状のものが適用され得る。
【００２６】
ところで、上述した２種類の回折格子セルで構成される２種類の回折格子パターンの表現領域が同一となるように設定されていない場合には、単一の回折格子パターンのみが表現されている領域が存在することになり、一方の回折格子パターンのみを見せたい場合でも種々の光学的ノイズや散乱で他方の回折格子パターンが分かってしまう。しかし、複数の回折格子パターンの表現領域が同一じである場合には、回折格子パターンを構成する回折格子セルの回折格子をブレーズド型にして回折効率を向上させ、回折光の明るさを明るくすることで他の回折格子パターンのノイズ等が隠蔽できるようになり、上述のような心配無しに画像チェンジングが明瞭に行えるようになる。
また、本実施形態のように一方の回折格子パターンを構成する回折格子セルを他方の回折格子パターンを構成する回折格子セルと隣接するように配置することでさらに他の回折格子パターンのノイズや散乱を緩和でき、観察される画像をより鮮明に表現することができるようにもなる。
【００２７】
このような構成のディスプレイ１８に対して右斜め下に設置した光源２３から光を照射すると、図２に示すように、ブレーズド型回折格子を有する回折格子セル１８Ａからなる回折格子パターンに対応して画像２１が観察者２４に明瞭に認識される。これは、前述したように、この回折格子パターンを構成する回折格子セル１８Ａの回折格子をブレーズド型としたからであり、しかも一方の回折格子パターンを構成する回折格子セルを他方の回折格子パターンを構成する回折格子セルと隣接するように配置したからである。
もしも回折格子セルの回折格子が従来のようにバイナリ−型の場合には他の画像もぼんやりと見えてしまう（画像２２参照）。
【００２８】
一方、図３に示すように、ディスプレイ１８に対して左斜め下に設置した光源２３から光を照射すると、今度は別個の画像２５に切り替わってそれが観察者２４に明瞭に認識されるようになる。この場合においても、もしも回折格子パターンを構成する回折格子セルの回折格子がバイナリ−型の場合には他の画像もぼんやりと見えてしまうことになる（画像２６参照）。
【００２９】
このように、バイナリー型回折格子を利用した従来の画像チェンジング技術では、設計上では隠れている画像でも回折格子のノイズや基板表面の凹凸による散乱で画像がぼんやりと見えることがあるのに対し、本発明のように回折格子パターンを構成する回折格子セルの回折格子をブレーズド型とすることにより、回折格子パターンに対応して観察される画像の明るさが２〜３倍向上し、他の回折格子パターンのノイズや散乱を緩和できるようになり、画像チェンジングに際して不要な画像（隠蔽すべき画像）がぼんやりと見えることがなくなる。
【００３０】
これは、バイナリー型回折格子のように断面形状が左右対称な回折格子では、正方向と負方向からの入射光に対する回折光の回折効率はほぼ一致するため、その差は殆ど目視で判断することができないのに対し、断面形状が左右対称でないブレーズド型回折格子では、回折光の回折効率は正方向と負方向からの入射光に対して回折効率が大きく異なり、その差は目視や機械読み取りによって明瞭に区別することができるようになるからである。
【００３１】
以下、この現象を図４ならびに図５により詳細に説明する。
図４には、ブレーズド型回折格子１０に対して正方向の入射光６（上から照射する入射光）と負方向の入射光１１（下から照明する入射光）をそれぞれ入射したときの回折光８と回折光１２の見え方の違いが、また図５には、バイナリー型回折格子１３に対して正方向の入射光７（上から照射する入射光）と負方向の入射光１６（下から照明する入射光）をそれぞれ入射したときの回折光１５と回折光１７の見え方の違いが概念的に示してある。
図からも明らかなように、ブレーズド型回折格子１０の場合は、正方向から入射光６を照明すると回折光８が著しく明るく観察者９に認識されるが、負方向から入射光１１を照明すると回折光１２が極僅かであるか見えないほど暗く観察者９に認識される（図４参照）。一方、バイナリー型回折格子１３の場合は、正方向から入射光１４を照射した場合でも負方向から入射光１６を照射した場合でも見え方に変化ない（図５参照）。
したがって、回折格子を利用した画像チェンジングにおいては、ブレーズド型回折格子を用いることにより、前述したように、回折光の回折効率は正方向と負方向からの入射では回折効率が大きく異なり、その差は目視や機械読み取りによって明瞭に区別することができるようになり、画像の切り換えが適格に認識されるようになる。
この場合、回折格子パターンを構成する回折格子セルの回折格子を全てブレーズド型とすると画像チェンジングが鮮鋭に行われるようになる訳であるが、本発明はこれに限定されるものではなく、複数の回折格子パターンの内の少なくとも一つの回折格子パターンを構成する回折格子セルの回折格子をブレーズド型とすることにより画像チェンジングが従来に較べてより明瞭に認識されるようになる。
【００３２】
一方、ある回折格子パターンを構成する回折格子の回折格子方向と他の回折格子パターンを構成する回折格子の回折格子方向の方向角度差が５度未満の場合は、それぞれの回折格子パターンが重複して現れ易くなるため、動画を描写する用途のような場合を除いては使用しないほうが好ましい。ただし、照射光を太陽光とする場合には５度程度の方向角度差で十分であるが、ハロゲンランプのような点光源からの光を照射する場合には１０度以上、蛍光灯のような広い発光部分を有する光源や点光源が複数存在する場合には各回折格子の方向角度差は２０度以上となるようにすることが好ましい。
【００３３】
図１２にはブレーズド型回折格子を用いた回折格子パターンがそれらを構成する回折格子セルのバイナリー回折格子の回折格子方向を４５度の方向角度差で設定された場合に観察される画像が示してあるが、図からも明らかなように、ブレーズド型回折格子を用いると０度、４５度、９０度、１３５度、１８０度、２２５度、２７０度、３１５度の８種類までが表示、観察できるようになる。前述したようにバイナリー型回折格子を利用した従来のディスプレイでは１８０度の範囲内でしか表現できないが、ブレーズド型回折格子を用いたディスプレイでは３６０度の範囲に渡ってチェンジング画像を表現できる。
すなわち、ブレーズド型回折格子を用いた画像チェンジングにおいては、一つの基板表面上で視点を変えることによって変化できる最大画像の数は、バイナリー型回折格子を利用したものの２倍とすることが可能となる。
【００３４】
またこのような構成のディスプレイは、静止した観察者が光源を動かした状態で観察すると、図２、図３に示すような画像２１と画像２５が次々に見える。また、複数の回折格子パターンのそれぞれの回折格子パターンが連続した動作を順次表現したものであれば、アニメーションの効果も見られるようになる。さらに、同一の位置に複数のメッセージを順次表示するようにしたり、複数の回折格子パターンを同時に表示するようにすることによって、様々な画像表現が可能となる。
【００３５】
図示の実施形態では、同一の断面形状の回折格子をその回折格子方向のみを変えることで画像表現を実現させる例を示したが、本発明はこれに限定されるものではなく、回折格子の種類や方向を様々に組み合わせることで、一層多彩でセキュリティー性を向上させて画像を現出させることができる。
【００３６】
因みに、このようなブレーズド型回折格子パターンを有するディスプレイは、これらの表面形状を元にメッキなどによりスタンパ（複製用版）を得、このスタンパにより熱可塑性樹脂にエンボス成形を施したり、ＵＶ硬化樹脂でＵＶ成形することで、安価に大量複製される。
【００３７】
【発明の効果】
以上説明したように、本発明のディスプレイにおいては、観察者が視点を変えた場合に、異なった画像を観察できる。また、静止した観察者の場合にも、光源の位置を変えることによって光源の位置に応じた異なる画像を観察することができる。さらに、静止した光源によって静止した観察者がこのディスプレイを観察する場合でも、ディスプレイを任意に移動させることによって、異なる画像を観察することができる。
【００３８】
また、回折光の強弱が入射する光の方向性に依存するため、鮮明で的確な画像チェンジングが行える。
さらにまた、画像チェンジングする前に見えていた画像に対応する回折格子パターンを構成する回折格子セルの回折格子のノイズや基板表面の凹凸による散乱が画像チェンジング後に見えてくる画像に与える影響も、回折格子パターン自体の回折効率（明るさ）を向上させることで緩和することができ、併せて一つのディスプレイの同じ位置において表現できるチェンジング画像の数を従来のバイナリー型回折格子パターンを用いたディスプレイにおいて表現可能なチェンジング画像の数の２倍とすることができる。
【図面の簡単な説明】
【図１】本発明のディスプレイの概略の構成とこのディスプレイにおいて観察されるチェンジング画像の概略を示す説明図である。
【図２】本発明のディスプレイに対して右下から光線を照射しているときの状態とこのときに観察される画像、並びに正弦波状のバイナリー型回折格子を用いたディスプレイにおいて観察される画像を示す説明図である。
【図３】本発明のディスプレイに対して左下から光線を照射しているときの状態とこのときに観察される画像、ならびに正弦波状のバイナリー型回折格子を用いたディスプレイにおいて観察される画像を示す説明図である。
【図４】ブレーズド型回折格子のに対して正方向と負方向から入射光を照射たときに観察される回折光の様子を示す説明図である。
【図５】バイナリー型回折格子のに対して正方向と負方向から入射光を照射たときに観察される回折光の様子を示す説明図である。
【図６】回折格子セルに特定角度で単色の入射光を照射した場合に観察される回折光の様子を示す説明図である。
【図７】正弦波状のバイナリー型回折格子の断面形状を示す説明図である。
【図８】バイナリー型回折格子の断面形状を示す説明図である。
【図９】ブレーズド型回折格子の断面形状を示す説明図である。
【図１０】段階形状のブレーズド型回折格子の断面形状を示す説明図である。
【図１１】バイナリー型回折格子を利用したディスプレイにおいて観察される種々のチェンジング画像を示す説明図である。
【図１２】ブレーズド型回折格子を利用したディスプレイにおいて観察される種々のチェンジング画像を示す説明図である。
【符号の説明】
１、６、１１、１４、１６・・・入射光
２・・・１次回折光
３・・・０次回折光
４、９、２４・・・観察者
５・・・回折格子セル
７、２０・・・光源
８、１２、１５、１７・・・回折光
１０・・・ブレーズド型回折格子
１３・・・バイナリー型回折格子
１８・・・ディスプレイ
１９、２１、２２、２５、２６・・・（観察される）画像
【図１】
2004280010.tif 000003
【図２】
2004280010.tif 000004
【図３】
2004280010.tif 000005
【図４】
2004280010.tif 000006
【図５】
2004280010.tif 000007
【図６】
2004280010.tif 000008
【図７】
2004280010.tif 000009
【図８】
2004280010.tif 000010
【図９】
2004280010.tif 000011
【図１０】
2004280010.tif 000012
【図１１】
2004280010.tif 000013
【図１２】
2004280010.tif 000014